(57)【要約】  本発明は、アクティブマトリックス画像ディスプレイ装置に関連する。前記装置は、複数の光発光源（２２、２３、２４）、各発光源に接続された電流調整装置（２６）、発光源（２２、２３、２４）の選択手段（８、１４、１５）、発光源の電力供給手段（３６、３９、４０）及び反転入力（−）と非反転入力（＋）と出力とを有する演算増幅器を有する。  前記演算増幅器の非反転入力（＋）及び反転入力（−）のうち１つは、前記電力供給手段（３６、３９、４０）の出力と接続され、前記発光源（２２、２３、２４）の１つが選択された場合、前記演算増幅器（３５）の出力と接続された前記調整装置（２６）のゲートと共に、前記演算増幅器（３５）の帰還ループを形成する。  本発明はまた、ディスプレイ装置の制御方法に関する。
2008508547.tif 000002
【特許請求の範囲】
【請求項１】
アクティブマトリックス画像ディスプレイ装置であって、
−各発光源はディスプレイ信号の値により周期的にアドレス指定されることが可能であり、前記値は画像期間のディスプレイのデータを表す、行及び列に分配された発光源のアレイを形成する複数の光発光源と、
−前記アレイの各光発光源と直列に接続され発光源−調整装置の直列を形成し、ソース、ドレイン、ゲートを有し、ドレイン電流を通じさせ、前記ドレイン及びソースの１つ及び前記ゲートの間の電流調整装置のトリップスレッショルド電圧より大きい又は等しい電圧で前記発光源に電力を供給可能な、電流調整装置と、
−前記画像期間の間、各変調装置のゲートにおいて制御電圧を維持可能な電荷蓄積キャパシターと、
−１つの同一の行の発光源を選択可能な選択手段と、
−各列に、前記発光源への電力供給手段を有し、前記電力供給手段は、前記列の発光源−調整装置の直列のそれぞれの端子の１つと接続された出力と、対応する変調装置を制御し反転入力、非反転入力、及び出力を有する少なくとも１つの演算増幅器とを有し、前記演算増幅器の出力は、前記変調装置と接続された発光源が選択された場合、前記列の各変調装置のゲートに接続可能であり、前記ゲートに前記制御電圧を印加する、前記発光源の発光駆動手段と、を有し、
前記演算増幅器の非反転入力及び反転入力のうち１つは、前記電力供給手段の出力と接続され、前記発光源の１つが選択された場合、前記演算増幅器の出力と接続された前記調整装置のゲートと共に、前記演算増幅器の帰還ループを形成することを特徴とする、アクティブマトリックス画像ディスプレイ装置。
【請求項２】
前記列の発光源−調整装置の直列のそれぞれの前記端子の１つは、前記電力供給手段の出力と接続され、前記調整装置のドレイン又はソースに対応することを特徴とする、請求項１記載の装置。
【請求項３】
前記演算増幅器の非反転入力及び反転入力のうち１つは、前記出力に接続され、前記ディスプレイ信号の値に依存する信号を受信可能であり、前記値は、当該列から選択された発光源にアドレス指定されるためのものであることを特徴とする、請求項１又は２記載の装置。
【請求項４】
前記電力供給手段は、駆動生成器を更に有し、前記駆動生成器は、前記発光源に対応する発光源−調整装置の直列の前記端子の１つに駆動信号を供給することにより、不連続な電力を列の前記発光源のそれぞれに相次いで供給することに適し、前記駆動信号は、前記ディスプレイ信号の値に依存し、前記値は、前記列から選択された発光源にアドレス指定されるためのものであることを特徴とする、請求項１乃至３の何れか１項記載の装置。
【請求項５】
前記駆動生成器は、直列に接続されたディスプレイ電圧生成器及び抵抗性要素を有し、前記電圧生成器は、前記ディスプレイ信号の値に依存する電圧を生成するのに適し、前記値は、前記列から選択された発光源にアドレス指定されるためのものであることを特徴とする、請求項４記載の装置。
【請求項６】
前記電力供給手段は、駆動生成器を更に有し、前記駆動生成器は、列の発光源−調整装置の直列のそれぞれの端子の１つに１つの同一の駆動信号を供給することにより、列の発光源のセット全体に連続的に電力を供給可能であり、前記駆動信号は、事前にアドレス指定された及び画像期間の間に列の発光体のセット全体に現在アドレス指定されているディスプレイ信号の値の和に依存することを特徴とする、請求項１乃至３の何れか１項記載の装置。
【請求項７】
前記駆動生成器は、直列に接続されたディスプレイ電圧生成器及び抵抗性要素を有し、及び前記電圧生成器は、前記ディスプレイ信号の値の和に依存する電圧を生成するのに適し、前記値は、事前にアドレス指定された及び画像期間の間に列の発光体のセット全体に現在アドレス指定されていることを特徴とする、請求項６記載の装置。
【請求項８】
前記電力供給手段の前記出力と前記列の発光源−調整装置の直列の各端子との間の如何なる切り替え手段も有さないことを特徴とする、請求項７記載の装置。
【請求項９】
【数１】
2008508547.tif 000013
Ｒは抵抗性要素であり、
Ｖｒｅｆは、発光源ｎと関連付けられた基準電圧であり、及び
Ｖｄａｔａ  ｎは、発光源ｎにアドレス指定されたディスプレイ電圧の値であり、及び
Ｐは、列内の発光源の総数である、ことを特徴とする、請求項７乃至８の何れか１項記載の装置。
【請求項１０】
前記駆動手段は、前記演算増幅器の反転入力及び非反転入力のうちの１つに基準信号を供給可能な基準発生器を更に有することを特徴とする、前記請求項の何れか１項記載の装置。
【請求項１１】
各発光源は、個々の電気及び／又は光特性を示し、及び各基準信号の値は、前記電気及び／又は光特性に依存することを特徴とする、請求項１０記載の装置。
【請求項１２】
各発光源は、色の発光と関連付けられ、及び前記基準信号は、前記選択された発光源に割り当てられた色に応じて調整可能であることを特徴とする、請求項１０又は１１記載の装置。
【請求項１３】
前記発光源は、それぞれ異なる色を発光するのに適する複数の隣接発光源にグループ化され、及び各複数の発光源では、前記基準信号は、前記複数の発光源の種々の発光源に、１つの同一のディスプレイ信号の値による前記発光源のアドレス指定が、前記複数の発光源による白色の発光を引き起こすように割り当てられることを特徴とする、請求項１０乃至１１の何れか１項記載の装置。
【請求項１４】
前記駆動手段は、画像期間の間、各発光源にアドレス指定される前記ディスプレイ信号の値を格納可能なデータ格納手段を更に有することを特徴とする、前記請求項の何れか１項記載の装置。
【請求項１５】
アクティブマトリックス画像ディスプレイ装置の制御方法であって、前記アクティブマトリックス画像ディスプレイ装置は、各発光源はディスプレイ信号の値により周期的にアドレス指定されることが可能であり、前記値は画像期間のディスプレイのデータを表す、行及び列に分配された発光源のアレイを形成する複数の光発光源と、ソース、ドレイン、ゲートを有し、各調整装置の前記ドレイン又はソースのうち１つは前記アレイの発光源と直列に接続され、２つの端子を有する発光源−調整装置を形成する電流調整装置と、行の発光源を選択可能な選択手段と、前記画像期間の間、各調整装置のゲートにおいて制御電圧を維持可能な電荷蓄積キャパシターと、反転入力、非反転入力及び出力を有する少なくとも１つの演算増幅器を有し列の発光源の発光を駆動する手段と、を有し、前記方法は、
−前記選択手段により、選択信号を発光源の行へ送信する段階と、
−前記駆動手段により、駆動信号を列の発光源−調整装置の直列のそれぞれの端子の１つに印加する段階と、
−前記駆動手段により、制御信号を、前記選択された発光源と接続された各調整装置のゲートに印加する段階と、を有し、
前記方法は、
−発光源の行を選択し、前記演算増幅器の出力と接続された前記変調装置のゲートと共に、及び前記発光源の電力供給手段の前記出力と接続された前記演算増幅器の非反転入力及び反転入力のうちの１つと共に、前記演算増幅器の帰還ループを形成する段階、を更に有することを特徴とする、アクティブマトリックス画像ディスプレイ装置制御方法。
【請求項１６】
前記駆動信号は、画像期間の間、前記列の発光源のセット全体にアドレス指定されたディスプレイ信号の値の和に依存することを特徴とする、請求項１５記載の方法。
【発明の詳細な説明】
【技術分野】
【０００１】
本発明は、ディスプレイ装置、ディスプレイ制御回路、及び画像表示方法に関する。より詳細には、本発明は、アクティブマトリックス画像ディスプレイ装置に関する。アクティブマトリックス画像ディスプレイ装置は、
−各発光源は表示信号の値により周期的にアドレス指定可能であり、前記値は画像期間のディスプレイのデータを表す、行及び列に配置された発光源のアレイを形成する複数の光発光源、
−アレイの各光発光源と直列に接続され発光源−変調装置の直列を形成し、ソース、ドレイン、ゲートを有し、ドレイン電流を導通可能であり、前記変調装置のトリップスレッショルド電圧より大きい又は等しいドレインとソースのうちの１つ及びゲートの間の電圧で、前記発光源に電力を供給する、電流変調装置、
−前記画像期間の間、各変調装置のゲートにおいて制御電圧を維持可能な電荷蓄積キャパシター、
−１つの同一の行の発光源を選択可能な選択手段、並びに
−前記列の発光源−調整装置の直列のそれぞれの端子の１つと接続された出力、及び反転入力（−）、非反転入力（＋）、及び出力を有し対応する調整装置を制御する少なくとも１つの演算増幅器を有する前記発光源に電力を供給する手段を各列に有し、前記演算増幅器の前記出力は、調整装置に接続された発光源が選択された場合、前記列の各調整装置の前記ゲートと接続可能であり、前記ゲートに前記制御電圧を印加する、前記発光源の発光を駆動する手段、を有する。
【背景技術】
【０００２】
画像ディスプレイ装置は、自動車、デジタルカメラ、又は携帯電話のようなあらゆる種類の用途での使用が広がっている。
【０００３】
ＯＬＥＤ（有機発光ダイオード）のディスプレイ装置のような、光発光源が有機発光セルに基づき形成されたディスプレイ装置が知られている。
【０００４】
特に、受動型マトリックスＯＬＥＤディスプレイ装置は、既に市場で広く入手可能である。しかしながら、受動型マトリックスＯＬＥＤディスプレイ装置は、電気エネルギー消費が大きく、寿命が短い。
【０００５】
アクティブマトリックスＯＬＥＤディスプレイ装置は、集積電子機器を有し、低消費電力、高解像度、ビデオレートとの互換性、及び受動型マトリックスＯＬＥＤディスプレイ装置より長い寿命のような多くの利点を有する。
【０００６】
従来、アクティブマトリックスＯＬＥＤディスプレイ装置は、特に光発光源のアレイにより形成されたアクティブマトリックスを有する。各光発光源は、表示されるべき画像のピクセルと又はサブピクセルと関連付けられ、及びアドレス指定回路を介し、列電極の及び行電極のアレイによりアドレス指定される。
【０００７】
アドレス指定回路は、特に、電流調整装置を有する。電流調整装置は、発光源を通過する電流を、及び従ってディスプレイ装置の各ピクセル又はサブピクセルの輝度を駆動可能である。
【０００８】
アクティブマトリックスでは、これら電流調整装置は、アモルファスシリコン層に基づき、低温ポリシリコン（ＬＴＰＳ）技術によりポリシリコンから製造された薄膜トランジスター（ＴＦＴ）である。しかしながら、この技術は、これらトランジスターの間のトリップスレッショルド電圧の局所的な空間的変動を導入する。このような変動は、シリコン粒子の結合及び大きさが、アモルファスシリコン（Ｓｉ−ａ）のポリシリコン（Ｐｏｌｙ−Ｓｉ）への結晶化段階の間、十分に制御可能でないという事実による。
【０００９】
結果として、同一の供給電圧により電力を供給され同一のディスプレイ電流又は電圧により制御されるＴＦＴトランジスターが、異なる強度の電流を生成する。更に、薄膜トランジスターのトリップスレッショルド電圧は、時間とともに不均一に変化し易い。
【００１０】
また、発光源が発光源を通過する電流に正比例する光度を発光するので、これらトランジスターのトリップスレッショルドの不均一性は、このようなトランジスターを有するディスプレイ装置の明るさに不均等を生じる。これは、結果として、輝度レベルの間に差異を生じ、及び明らかなユーザーの視覚的不快さを生じる。
【００１１】
この不快さを制限するため、トリップスレッショルド電圧を補償する多様な回路が提案されてきた。
【００１２】
例えば、特許文献１は、補償回路を有するディスプレイ装置を記載している。補償回路は、演算増幅器を有する。演算増幅器の出力は、調整装置のゲートと接続され、及び演算増幅器の非反転入力は、１つの同一の列の各発光源のアノードと連続して接続され、当該発光源と関連付けられた調整装置を有さない。
【００１３】
しかしながら、この装置は、極めて複雑である。この装置は、特に、多数のスイッチの制御を必要とする。
【特許文献１】欧州特許第１３４００１９号明細書
【発明の開示】
【発明が解決しようとする課題】
【００１４】
本発明の目的は、簡易なディスプレイ装置の実現である。
【課題を解決するための手段】
【００１５】
この目的のため、本発明の課題は、アクティブマトリックス画像ディスプレイ装置であって、演算増幅器の非反転入力及び反転入力のうち１つが、電力供給手段の出力と接続され、発光源の１つが選択された場合、演算増幅器の出力と接続された調整装置のゲートと共に、演算増幅器の帰還ループを形成することを特徴とする、アクティブマトリックス画像ディスプレイ装置である。
【００１６】
従って、先に引用された特許文献１に記載されたピクセル回路と対比すると、演算増幅器の入力は、発光源−調整装置の直列の共通端子と接続されないが、発光源−調整装置の直列の端子の１つと接続される。
【００１７】
本発明は、従って、少なくとも発光源のアドレス指定期間の間、発光源に電力を供給するため、電流に命令し各列の発光源に電力を供給させることが可能である。本発明の利点は、この命令がこの電流を測定することなく実行されることである。
【００１８】
各発光源は、表示されるべき各画像において、又は使用されるディスプレイの方式に従い、各画像に対し複数回、周期的にアドレス指定される。
【００１９】
特定の実施例によると、装置は１つ以上の以下の特徴を有する。
【００２０】
前記列の発光源−調整装置の直列のそれぞれの前記端子の１つは、前記電力供給手段の出力と接続され、前記調整装置のドレイン又はソースに対応する。
【００２１】
演算増幅器３５の出力は、ディスプレイ信号Ｖｄａｔａ  ２２、Ｖｄａｔａ  ２３と、選択された発光源２２、２３、２４に接続された調整装置２６のトリップスレッショルド電圧Ｖｔｈとに依存する制御信号Ｖｃを供給する。制御信号Ｖｃは、キャパシター３０を充電可能である。
【００２２】
演算増幅器の非反転入力（＋）及び反転入力（−）のうち１つは、出力に接続され、ディスプレイ信号の値に依存する信号を受信可能である。ディスプレイ信号の値は、前記列から選択された発光源にアドレスを指定されるためのものである。
【００２３】
第１の主な変形によると、前記電力供給手段は、駆動信号生成器を更に有する。駆動信号生成器は、発光源に対応する発光源−調整装置の直列の端子の１つに駆動信号を供給することにより、不連続な電力を列の前記発光源のそれぞれに連続して供給するのに適する。前記駆動信号は、ディスプレイ信号の値に依存し、前記ディスプレイ信号の値は、前記列から選択された発光源にアドレス指定されるためのものである。従って、駆動信号生成器は、光発光源のアドレス指定期間の間のみ、光発光源に次々と電力を供給する。
【００２４】
電力供給手段は、従って一般に、保持信号生成器を更に有する。保持信号生成器の機能は、発光源のアドレス指定段階の外側で、列の発光源に電力を供給することである。このような装置は、発光源の電力供給を駆動信号生成器と保持信号生成器の間でトグリングする、切り替え手段を必要とする。実際には、従って一般的に、各アドレス指定回路内に２つの追加スイッチが存在する。１つは、アドレス指定段階の間、前記回路の発光源−調整装置の直列をアドレス生成器に接続する。もう１つは、アドレス指定段の外側で、前記発光源−調整装置の直列を保持信号生成器に接続する。
【００２５】
前述のように、駆動信号生成器の出力は、演算増幅器の非反転入力（＋）及び反転入力（−）のうちの１つに接続される。前記列のアドレス指定の間のみ、前記同一の出力はまた、アドレス指定のために閉じられたスイッチを介し、対応する発光源−調整装置の直列の前記端子に接続される。
【００２６】
前記駆動信号生成器は、直列に接続されたディスプレイ電圧生成器及び抵抗性要素を有する。また、電圧生成器は、ディスプレイ信号の値に依存する電圧を生成するのに適する。ディスプレイ信号の値は、前記列から選択された発光源にアドレス指定されるためのものである。
【００２７】
前記抵抗は、電圧生成器の内部抵抗であって良い。
【００２８】
前記直列抵抗により、前記抵抗を流れる電流の値は、及び従って前記発光源では、前記発光源のアドレス指定期間の間、前記発光源と関連付けられた調整装置のトリップスレッショルド電圧に依存しない。電流の値は、従って、一方で、ディスプレイ信号の値と演算増幅器の非反転入力と反転入力の他の１つに印加される電圧の値との間の差に比例する。他方で、電流の値は、抵抗性要素の抵抗値と反比例する。
【００２９】
第２の好適な主な変形によると、前記電力供給手段は、駆動信号生成器を有する。駆動信号生成器は、列の発光源−調整装置の直列のそれぞれの端子の１つに１つの同一の駆動信号を供給することにより、列の発光源のセット全体に連続的に電力を供給可能である。前記駆動信号は、事前にアドレス指定された及び画像期間の間に列の発光源のセット全体に現在アドレス指定されているディスプレイ信号の値の和に依存する。有利なことに、前述の第１の主な変形で必要とされた追加の保持信号生成器は、必要ない。
【００３０】
前記駆動信号生成器は、直列に接続されたディスプレイ電圧生成器及び抵抗性要素を有する。また、電圧生成器は、事前にアドレス指定された及び現在画像期間の間に列の発光源のセット全体に現在アドレス指定されているディスプレイ信号の値の和に依存する電圧を生成するのに適する。
【００３１】
前記抵抗は、電圧生成器の内部抵抗であって良い。前記直列抵抗により、前記抵抗を流れる電流の値は、及び従って前記発光源では、前記発光源と関連付けられた調整装置のトリップスレッショルド電圧に依存しない。電流の値は、従って、一方で、ディスプレイ信号の値の和と演算増幅器の非反転入力と反転入力の他の１つに印加される電圧値との間の差に比例する。他方で、電流の値は、抵抗性要素の抵抗値と反比例する。
【００３２】
第２の主な変形は、電力供給手段の前記出力と列の発光源−調整装置の直列の各端子との間の如何なる切り替え手段も有さない。有利なことに、発光源のアドレス指定回路は、第１の主な変形と比較して簡易である。なぜならば、第１の主な変形で必要とされたような、発光源−調整装置の直列の端子の１つを異なる駆動信号生成器の間で交互に切り替える必要がないからである。
【００３３】
駆動信号生成器の出力は、一方で演算増幅器の非反転入力（＋）及び反転入力（−）のうちの１つに接続され、他方で、中間スイッチなしで、発光源−調整装置の直列に対応する前記端子に接続される。
【００３４】
電圧生成器は、抵抗性要素と接続され、以下の関係に基づき得られた駆動電流を供給する。
【００３５】
【数１】
2008508547.tif 000003
ここで、Ｒは抵抗性要素である。
Ｖｒｅｆ  ｎは、発光源ｎと関連付けられた基準電圧である。
Ｖｄａｔａ  ｎは、発光源ｎにアドレス指定されたディスプレイ電圧の値である。
Ｐは、列内の発光源の総数である。
【００３６】
前記駆動手段は、演算増幅器の反転入力（−）及び非反転入力（＋）のうちの他の１つに基準信号を供給可能な基準信号生成器を更に有する。
【００３７】
各発光源は、個々の電気及び／又は光特性を示す。また各基準信号の値は、前記電気及び／又は光特性に依存する。
【００３８】
各発光源は、色の発光と関連付けられる。また基準信号は、前記選択された発光源に割り当てられた色に応じて調整可能である。
【００３９】
所与の白色は、通常、白色の色度座標によりラベル付けされる。本発明により、装置の有色性能は、容易に最適化され得る。また、発光源の間の経年劣化の差は、補償され得る。
【００４０】
発光源は、それぞれ異なる色を発光するのに適する複数の隣接発光源にグループ化される。各複数の発光源に対し、前記基準信号は、１つの同一のディスプレイ信号の値によるこれら発光源のアドレス指定が、この複数の発光源による前記白色の発光を引き起こすように、前記複数の発光源の種々の発光源に割り当てられる。
【００４１】
前記駆動手段は、画像期間の間に各発光源にアドレス指定されるディスプレイ信号の値を格納可能なデータ格納手段を更に有する。
【００４２】
本発明の課題はまた、アクティブマトリックス画像ディスプレイ装置の方法である。アクティブマトリックス画像ディスプレイ装置は、
−各発光源はディスプレイ信号の値により周期的にアドレス指定可能であり、ディスプレイ信号の値は、画像期間の間、ディスプレイのデータを表す、行及び列に配置された発光源のアレイを形成する複数の光発光源、
−各調整装置のドレイン又はソースの１つは前記アレイの発光源に直列に接続され、２つの端子を有する発光源−調整装置の直列を形成する、ソース、ドレイン、ゲートを有する電流調整装置、
−行の発光源を選択可能な選択手段、
−前記画像期間の間、各調整装置のゲートに制御電圧を維持可能な電荷蓄積キャパシター、
−反転入力、非反転入力及び出力を有する少なくとも１つの演算増幅器を有する列の発光源の発光を駆動する手段を有する。
前記方法は、
−選択手段により、選択信号（Ｖｓｅｌｅｃｔ）を発光源の行へ送信する段階、
−駆動手段により、駆動信号（Ｉ）を列の発光源−調整装置の直列のそれぞれの端子の１つに印加する段階、及び
−駆動手段により、制御信号（Ｖｃ）を前記選択された発光源に接続された各調整装置のゲートに印加する段階、を有し、前記方法は、
−発光源の行を選択し、前記演算増幅器の出力と接続された前記調整装置のゲートとともに、及び前記発光源の電力供給手段の前記出力と接続された前記演算増幅器の非反転入力及び反転入力の１つとともに、前記演算増幅器の帰還ループを形成する段階、を更に有することを特徴とする。
【００４３】
ある実施例によると、方法は、駆動信号が、画像期間の間、列の発光源のセット全体にアドレス指定されたディスプレイ信号の値の和に依存するという特性を有する。
【００４４】
本発明は、非限定的な例としてのみ与えられる以下の説明及び図を参照し、より理解される。
【発明を実施するための最良の形態】
【００４５】
図１は、本発明による画像ディスプレイ装置を示す。画像ディスプレイ装置は、制御手段２により駆動されるアクティブマトリックス１を有する。
【００４６】
知られているように、アクティブマトリックス１は、複数のアドレス指定回路３、４、５、６を有する。各アドレス指定回路は、発光源（示されない）と関連付けられ、行及び列に従い分配される。
【００４７】
アクティブマトリックスの制御手段２は、制御システム７、選択制御回路８及びアドレス指定制御回路１０を有する。
【００４８】
制御システム７は、画像ディスプレイ信号を受信可能であり、画像ディスプレイ信号を処理し（例えば、画像ディスプレイ信号を復号及び解凍する）、そして同期信号を選択制御回路８へ供給し、またディスプレイ信号をアドレス指定制御回路１０へ供給する。
【００４９】
選択制御回路８は、複数の行電極１４、１５と接続される。各行電極は、発光源の行と関連付けられる。同期信号の受信時、回路８は、各行電極１４において連続して選択パルスＶｓｅｌｅｃｔを生成するのに適する。先ず、回路８は、当該行のアドレス指定回路３、６のセット全体を、画像期間に対応する走査周波数において、順々に選択する。選択パルスＶｓｅｌｅｃｔは、発光源を選択するための論理データである。
【００５０】
アドレス指定制御回路１０は、複数の列電極１６、１７、及び複数の駆動電極１８、１９と接続される。各行電極及び駆動電極は、発光源の列２１Ａ、２１Ｂと関連付けられる。アドレス指定制御回路１０は、複数のアドレス指定駆動部２０Ａ、２０Ｂを有する。各アドレス指定駆動部は、アドレス指定することが可能であり、及び列電極１６、１７及び駆動電極１８、１９を経由して、列２１Ａ、２１Ｂのアドレス指定回路３、４、５、６へ電力を供給することが可能である。
【００５１】
行電極１４、１５、列電極１６、１７及び駆動電極１８、１９は、それぞれ、ディスプレイ装置の回路３、４、５、６のセットのうちの特定のアドレス指定回路を選択、アドレス指定、及び電力供給することを可能にする。
【００５２】
従って、ディスプレイ装置の行電極１４のみを選択することにより、並びに制御電圧Ｖｃを電極１６へ及び駆動電流Ｉを列２１Ａの電極１８へ送信可能な駆動部２０Ａを起動することにより、当該行電極１４及び発光源２１Ａの当該列の電極１６及び１８の交差点である回路３は、起動される。同時に、この同一の列の他の回路４、．．．、５が、起動される。
【００５３】
図２は、光発光源２２、２３、２４を示す。各光発光源は、発光源の列２１Ａのアドレス指定駆動部２０Ａ及びアドレス指定回路３、４、５、６の選択制御回路８と同様に、発光源の列２１Ａのピクセルのセットのアドレス指定回路３、４、５と関連付けられる。
【００５４】
ディスプレイ装置の発光源２２、２３、２４は、有機発光ダイオードである。発光源２２、２３、２４は、アノード及びカソードを有する。これらダイオードの構造は、「従来型」である。つまり、アノードは基板側である下側の層にあり、及びカソードは上側の層にある。
【００５５】
これら発光源は、それらを通過する電流に正比例する光度を発光する。各発光源は、基本ピクセルを構成する。これら基本ピクセルは、モノクロ画面の場合と同一の特性（同一の色発光）であるか、又はカラー画面の場合、赤、緑及び青の３個の組を構成する。
【００５６】
本発明の範囲内で、列の発光源２２、２３、２４のセットは、同一色のサブピクセルと関連付けられる。３個の隣接する列の発光源は、赤、緑及び青色と連続して関連付けられる。発光源２２、２３、２４に同一値の電流が流れるために必要なバイアス電圧は、これら発光源の電流−電圧特性に応じて、及び特に各列の発光源２２、２３、２４に関連付けられたサブピクセルの色に応じて変化する。
【００５７】
アクティブマトリックス１のアドレス指定回路３、４、５は同一なので、回路３のみを詳細に記載する。
【００５８】
この回路３は、電流変調装置２６、トランジスターから成るスイッチ２８、蓄積キャパシター２９及び電源電極３０を有する。
【００５９】
電流調整装置２６及びスイッチ２８は、ガラス基板上に薄膜層として蒸着されるポリシリコン（Ｐｏｌｙ−Ｓｉ）、アモルファスシリコン（ａ−Ｓｉ）又は単結晶シリコン（μｃ−Ｓｉ）を用いた技術に基づく薄膜トランジスターである。このような構成要素は、３個の電極を有する。つまり、ドレイン電極及びソース電極、並びに制御電圧Ｖｃが印加されるゲート電極である。ドレイン電極及びソース電極の間には、ドレイン電流と称される変調された電流が流れる。
【００６０】
変調装置２６のソースは、発光源２２のアノードと接続され、変調装置２６及び発光源２２が直列に接続される。この直列の端子の１つ３１は、つまりここでは変調装置２６のドレインは、駆動電極１８と接続される。変調装置２６のゲートは、一方でキャパシター２９の第１の端子と接続され、他方でスイッチ２８の電流伝達電極（ドレイン又はソース）と電線３３を介し接続される。スイッチ２８の他の電流伝達電極（ドレイン又はソース）は、列電極１６と接続される。スイッチ２８のゲートは、行電極１４と接続される。列２１Ａの回路３、４、５のセットの各キャパシター２９の第２の端子は、電源電極３０と接続される。最後に、変調装置−発光源の直列のそれぞれの他の端子３２は、つまりここでは発光源２２のカソードは、電源電極３４と接続される。２つの電源電極３０及び２４は、導体（示されない）により共に同一電位に接続されて良い。
【００６１】
図２に示された変調装置２６は、ｎ型である。つまり動作時に変調装置２６のドレイン電流は、ドレインとソースの間を流れる。留意すべき点は、このような装置はまた、図１０に示されるように、従来型構造のダイオードを有するｐ型のＴＦＴを駆動するために用いられ得ることである。
【００６２】
キャパシター２９は、変調装置２６のゲート及びソースの間に配置され、実質的に一定の制御電圧を、変調装置２６のゲートに、画像期間Ｔ１、Ｔ２に対応する時間間隔の間、適用され、この期間の間、発光源の明るさを維持する。
【００６３】
電源電極３０は、従来知られているように、所望の電位にキャパシター２９の端子の１つをバイアスするために必要な電圧を提供可能である。
【００６４】
駆動部２０Ａが適用され、以下に記載される帰還ループで、列２１Ａのアドレス指定回路３、４、５のセットの各調整装置２６のトリップスレッショルド電圧Ｖｔｈを補償し、及び発光源の列２１Ａの発光源２２、２３、２４に電力を供給する。
【００６５】
この目的のため、駆動部２０Ａは、反転入力−、非反転入力＋、及び出力を備えた演算増幅器３５を有する。増幅器３５の出力は、列電極１６と接続される。増幅器３５の非反転入力＋は、駆動電極１８と接続され、列の発光源にそれらが関連付けられた調整装置を介し確実に電力を供給する。従って、この非反転入力＋は、同時に列２１Ａの各発光源２２、２３、２４のアノードと、当該アノードに関連付けられた変調装置２６を介し、接続される。
【００６６】
従って、増幅器３５の帰還ループは、駆動電極１８、変調装置−発光源の直列の端子３１、変調装置２６、線３３及び列電極１６により、発光源の列２１Ａのアドレス指定回路３、４、５のスイッチ２８が閉じられる度に形成される。留意すべき点は、帰還ループの一部を形成する変調装置−発光源の直列の端子３１が、図２及び１０に示された実施例では、この直列の調整装置のドレイン又はソースのうちの１つに対応することである。
【００６７】
増幅器３５は、帰還で動作可能であり、及び従って以下に続いて説明されるように、発光源の列２１Ａのアドレス指定回路３、４、５の各変調装置２６のトリップスレッショルド電圧Ｖｔｈを補償可能である。
【００６８】
更に、駆動部２０Ａは、アドレス指定可能であり及び列２１Ａの発光源２２、２３、２４に駆動電流Ｉにより電力供給可能である。この電流Ｉは、この列２１Ａの発光源２２、２３、２４にアドレス指定されたディスプレイ電圧Ｖｄａｔａ  ２２、Ｖｄａｔａ  ２３、Ｖｄａｔａ  ２４の値の和に依存する。
【００６９】
この目的のため、駆動部２０Ａは、駆動電流生成器３６及び基準電圧生成器３８を有する。駆動電流生成器３６及び基準電圧生成器３８は、それぞれ、増幅器３５の非反転入力＋及び反転入力−に接続される。
【００７０】
電流生成器３６は、抵抗４０と直列に接続された可変電圧生成器３９により形成される。駆動電極１８は、抵抗４０の出力、節点４２に接続され、従って電流生成器３６の出力の１つを形成する。
【００７１】
生成器３９は、可変電圧生成器である。生成器３９の電圧は、ディスプレイ信号Ｖｄａｔａ  ２２、Ｖｄａｔａ  ２３の値に応じて変化する。ディスプレイ信号Ｖｄａｔａ  ２２、Ｖｄａｔａ  ２３の値は、以後の記載で説明されるように、発光源２２、２３にアドレス指定されるためのものである。
【００７２】
生成器３８は、ディスプレイ装置の設定の間、固定され及び各列に固有である基準電圧を供給するために適応された生成器である。変形として、可変電圧生成器を用いることも可能である。基準電圧の種類は、アドレス指定される発光源の列２１Ａに従う。これは以後の記載で明らかにされる。
生成器３８の出力は、増幅器３５の反転入力−と、任意的に抵抗４４を介し接続される。この抵抗４４は、駆動部２０Ａの動作に絶対的に必要ではない。抵抗４４は、単に、演算増幅器３５の２つの入力の間で平衡させる有利な機能を有する。
【００７３】
同様に任意的に、キャパシター４６は、増幅器３５の反転入力−と増幅器３５の出力の間に接続される。抵抗４４及びキャパシター４６は、回路の精度と安定性を有利に向上可能にする補償アレイを構成する。
【００７４】
駆動部２０Ａはまた、データ格納手段４８並びに生成器３８及び３９の制御モジュール５０を有する。
【００７５】
格納手段４８は、データベース５２を有する。データベース５２は、一方で、前の画像期間Ｔ１の間に列２１Ａの各発光源２２、２３にアドレス指定されたディスプレイ信号Ｖｄａｔａ  ２２、Ｖｄａｔａ  ２３の値を格納し、他方で、当該値がアドレス指定された発光源２２、２３を識別する又は位置を示すデータを格納する。
【００７６】
これら格納手段４８はまた、列２１Ａの発光源のセットに関連付けられるべき基準電圧値を格納するディレクトリ５４を有する。この値は、列２１Ａの発光源２２、２３に関連付けられた色である赤、緑又は青に依存する。
【００７７】
異なる色に関連付けられた発光源は、図１２から分かるように異なる電流−電圧特性を示す。従って、赤発光源の端子及び青発光源の端子に異なる電圧を印加し、同一の輝度及びこれら発光源を通過する同一値の電流を得る必要がある。
【００７８】
各列のディレクトリ５４の基準電圧値は、ここでは、列２１Ａの発光源の色に応じて固定される。この工程は、出荷前に実行されるディスプレイ装置の設定の間に、工場で実行される。これら基準値は、以下に記載されるように、装置の種々の発光源の電流−電圧電気特性及び／又は発光特性の間の変動を補償するよう定められる。
【００７９】
一般に、これらの特性は主に発光源の放射の色に依存するので、３個の異なる基準電圧値がある。第１の値Ｖｒｅｆ．Ｒは、第１の列の赤発光源のセットに共通である。第２の値Ｖｒｅｆ．Ｇは、第２の列の緑発光源のセットに共通である。そして第３の値Ｖｒｅｆ．Ｂは、第３の列の青発光源のセットに共通である。より複雑な変形によると、これら基準電圧値は、発光源の各列に固有であり、種々の列の発光源が同一の放射色を有する場合でさえ、それら発光源の間の電流−電圧電気特性及び／又は発光特性の変動を補償する。
【００８０】
発光源にアドレス指定されたディスプレイ信号Ｖｄａｔａが、当該発光源に関連付けられた基準電圧Ｖｒｅｆより大きい場合のみ、電流は当該発光源を通じて流れ得る。過度に高い値のディスプレイ信号を用いなければならないことを回避するため、ディスプレイ装置の設定中に、最も低い可能な基準電圧値が定められ、同時に所望の補償を得ることが望ましい。
【００８１】
制御モジュール５０は、格納手段４８と接続され、前記手段の情報を検索し及び前記手段に記録する。
【００８２】
更に、モジュール５０は、システム７により送信されたディスプレイ信号を受信し、並びに生成器３８及び３９を前記信号及び格納手段４８に格納された情報に従い制御可能である。
【００８３】
動作中、回路８及び１０は、マトリックス１の発光源２２、２３、２４のセットを連続してアドレス指定し、電力を供給し、及び選択することが可能である。
【００８４】
電源が投入されると、第１の画像フレームＴ１の開始時に、図３に示される段階６０の間、駆動部２０Ａ及び回路８は、列２１Ａの第１の発光源２２の点灯を制御する。この段階６０は、段階６２乃至６９を有する。
【００８５】
段階６２の間、回路８は、電極１４において選択パルスＶｓｅｌｅｃｔ  ２２を生成する。このパルスは、図４に示され、スイッチ２８を閉じることが可能である。
【００８６】
同時に、段階６４の間、モジュール５０は、ディレクトリ５４に問い合わせ、発光源２２の列に関連付けられた基準電圧を確かめる。この基準電圧は、特に、当該列の発光源２２、２３、２４に関連付けられたサブピクセルの色に依存する。
【００８７】
段階６６の間、モジュール５０は、生成器３８を制御する。従って生成器３８は、一定且つＶｒｅｆ  ａに等しい値を有する、列２１Ａの発光源のための基準電圧Ｖｒｅｆ  ２１Ａを供給する。
【００８８】
同時に、段階６８の間、モジュール５０は、制御システム７から、発光源２２にアドレス指定されるべきディスプレイ電圧Ｖｄａｔａ  ２２の値Ｖａ及び当該値に関連付けられたアドレス指定された発光源２２の識別子又は位置を受信する。次に、モジュール５０は、データベース５２にこの値Ｖａ及び当該値がアドレス指定されている発光源の識別子を記録する。
【００８９】
同時に、段階６９の間、モジュール５０は、生成器３９を制御する。従って図６に示されるように、生成器３９は、発光源２２にアドレス指定されるべきディスプレイ電圧Ｖｄａｔａ  ２２の値Ｖａを生成する。
【００９０】
従って、生成器３８は、Ｖｒｅｆ  ａに等しい基準電圧値Ｖｒｅｆ  ２１Ａを増幅器３５の反転入力−へ提供する。同時に図６に示されるように、生成器３９は、抵抗４０に、Ｖａに等しい電圧Ｖｄａｔａ  ２２を印加する。この電圧Ｖａは、駆動電流Ｉ＝Ｉ２２を生成する。駆動電流Ｉは、駆動電極１８を経由し、調整装置２６のドレインに取り入れられる。この駆動電流Ｉ＝Ｉ２２は、図７に示され、次の関係により定められる。
【００９１】
【数２】
2008508547.tif 000004
ここで、Ｖａは、生成器３９により生成されるディスプレイ電圧Ｖｄａｔａ  ２２の値である。Ｖｒｅｆ  ａは、生成器３８により生成される基準電圧値である。そしてＲは、抵抗４０の値である。留意すべき点は、任意の抵抗４４が、電流の計算に入っていないことである。これは、少なくとも駆動電流Ｉ２２に関しては、如何なる有意な電流も当該抵抗を通じて流れないためである。
【００９２】
第１の発光源２２に直列に接続された回路３の変調装置２６が、当該変調装置の飽和モード（Ｖｇｓ−Ｖｔｈ＜Ｖｄｓ）で動作することを考慮することにより、当該変調装置を通過するドレイン電流は、駆動電流Ｉと等しく、次の関係がある。
【００９３】
【数３】
2008508547.tif 000005
ここで、Ｉ２２は、変調装置２６を通過するドレイン電流である。Ｖｇｓは、変調装置２６のゲート及びソースの間の電圧である。ｋは、変調装置２６の固有の特性に依存する定数である。Ｖｔｈは、変調装置２６のトリップスレッショルド電圧である。そしてＶｄｓは、変調装置２６のドレイン及びソースの間の電圧である。
【００９４】
本発明の帰還ループにより、増幅器３５における反転入力−と非反転入力＋の間の電位差は消失する。節点４２における電圧は、従ってＶｒｅｆ  ａに等しい。増幅器３５は従って、変調装置２６のゲートに制御電圧Ｖｃを供給する。制御電圧Ｖｃは、自動的に値を調整し、直列の変調装置２６及び発光源２２に電流Ｉ＝（Ｖａ−Ｖｒｅｆ  ａ）／Ｒが流れるようにする。従って、電流Ｉは、変調装置２６のトリップスレッショルド電圧Ｖｔｈと独立である。装置の発光源２２のトリップスレッショルド電圧の補償は、従って、当該発光源を通過する電流の測定をすることなく、直接に得られる。
【００９５】
値Ｖｇｓは、制御電圧Ｖｃの値から自動的に推定される。
【００９６】
制御電圧Ｖｃの値は、発光源のディスプレイ信号Ｖｄａｔａ  ２２及び当該発光源に関連付けられた基準電圧Ｖｒｅｆ  ａだけでなく、変調装置２６のトリップスレッショルド電圧Ｖｔｈにも依存する。
【００９７】
ディスプレイ電圧Ｖｄａｔａ  ２２の値Ｖａが、生成器３９により印加されると、電圧Ｖｒｅｆ  ａは生成器３８により印加されるので、トリップスレッショルド電圧Ｖｔｈは変調装置２６の構成の特性に固有であるので、変調装置２６のゲートに印加される制御電圧Ｖｃは適応され及び増幅器３５により変調され、当該変調装置のトリップスレッショルド電圧Ｖｔｈを補償する。
【００９８】
従って、増幅器３５の出力における制御電圧Ｖｃは、ディスプレイ電圧Ｖｄａｔａ  ２２の値Ｖａで発光源２２をアドレス指定するために必要な電圧に正確に適応する。また制御電圧Ｖｃは、調整装置２６のトリップスレッショルド電圧Ｖｔｈの値に拘わらず、及び当該電圧が時間と共に変化しても、適応する。
【００９９】
この制御電圧Ｖｃは、次に変調装置２６のゲートにおいて、キャパシター２９により、画像期間の残りの間中、維持される。同時に回路３のスイッチ２８は、従来知られているように再び開かれる。
【０１００】
段階７０の間、列２１Ａの第２の発光源２３は点灯される。段階７０は、段階７２乃至７９を有する。
【０１０１】
段階７２の間、回路８は、図５に示されるように選択パルスＶｓｅｌｅｃｔ  ２３を行電極１５に供給する。
【０１０２】
段階７４の間、モジュール５０は、発光源２３の列に関連付けられた基準電圧Ｖｒｅｆ  ２１Ａを、格納手段４８の問い合わせにより決定する。発光源２３が発光源２２と同一の列にあるので、及び従ってこれら発光源が同一の色に関連付けられているので、当該基準電圧Ｖｒｅｆ  ２１Ａの値Ｖｒｅｆ  ａは、第１の発光源２２のアドレス指定の間に生成された基準電圧Ｖｒｅｆ  ２２の値Ｖｒｅｆ  ａと同一である。
【０１０３】
段階７６の間、モジュール５０は、基準生成器３８を制御する。従って基準生成器３８は、段階７４の間に決定された電圧Ｖｒｅｆ  ａを生成する。
【０１０４】
同時に、段階７７の間、モジュール５０は、制御システム７から、図６に示される、発光源２３にアドレス指定されるべきディスプレイ電圧Ｖｄａｔａ  ２３の値Ｖｂ及び当該値に関連付けられたアドレス指定された発光源２３の識別子又は位置を受信する。
【０１０５】
段階７８の間、モジュール５０は、事前に同一の列の発光源２２にアドレス指定されたディスプレイ電圧Ｖｄａｔａ  ２２の値Ｖａ及び次の発光源２３にアドレス指定されるべきディスプレイ電圧Ｖｄａｔａ  ２３の値Ｖｂを合算する。
【０１０６】
次に、段階７９の間、モジュール５０は、生成器３９を制御する。従って生成器３９は、段階７８の間に計算された電圧値に等しいディスプレイ電圧、つまりＶａ＋Ｖｂを供給する。
【０１０７】
従って、新たな駆動電流は、Ｉ＝Ｉ２３＋Ｉ２２となり、図９に示され、抵抗Ｒ及び駆動電極１８を通じて流れ、次式により決定される。抵抗Ｒ及び駆動電極１８の共通点は、増幅器３５の非反転入力＋に接続される。
【０１０８】
【数４】
2008508547.tif 000006
発光源２２の発光に必要な電流Ｉ２２＝（Ｖｄａｔａ  ２２−Ｖｒｅｆ  ａ）／Ｒは、変調装置２６に電力を供給し続ける。特に、同一の制御電圧Ｖｃは、回路３のスイッチ２８が開かれているので、増幅器３５によってではなく、キャパシター２９により、第１の回路３の変調装置２６のゲートにおいて維持される。この電圧Ｖｃは、段階６０の間に設定された強度に等しくなるよう、発光源２２に電力を供給する電流の強度を指示する。
【０１０９】
駆動電極１８の残りの電流Ｉ２３＝Ｉ―Ｉ２２＝Ｖｄａｔａ  ２３／Ｒは、第２の回路４の調整装置２６に電力を供給する。
【０１１０】
回路４のスイッチ２８は、段階７２の間、閉じられているので、列電極１６、増幅器３５、駆動電極１８、変調装置−発光源の直列の端子３１、第２の回路４の調整装置２６及び第２の回路４の線３３は、増幅器３５の新たな帰還ループを形成する。従って、増幅器３５を出た制御電圧Ｖｃは、前述のように、第２の回路４の調整装置２６のトリップスレッショルド電圧Ｖｔｈを補償する。
【０１１１】
本発明によるディスプレイ装置のアドレス指定方法は、期間Ｔ１の同一の第１の画像フレームの間、列２１Ａの発光源２２、２３、２４のセット全体をアドレス指定することにより、段階７２乃至７９と同様の段階を列２１Ａの各アドレス指定回路３、４、５に対し実施することにより続けられる。特に、データベース５２は、次にこの第１の画像フレームの間、列２１Ａの各発光源にアドレス指定されたディスプレイ電圧のｐ値Ｖｄａｔａ．ｎを有する。また、モジュール５０は、発生３９が以下のディスプレイ電圧を供給するよう、生成器３９を制御する。
【０１１２】
【数５】
2008508547.tif 000007
駆動電極１８を通過する駆動電流Ｉは、従って次の一般的な関係により定められる。
【０１１３】
【数６】
2008508547.tif 000008
ここで、
Ｉは、駆動部２０Ａにより生成される駆動電流であり、駆動電極１８を通じて流れる。
Ｉｎは、発光源ｎを通じて流れる電流である。
Ｖｄａｔａ  ｎは、発光源ｎにアドレス指定された画像ディスプレイ電圧の値である。
Ｖｒｅｆ  ２１Ａは、列２１Ａの発光源に関連付けられた基準電圧の値である。
ｐは、列２１Ａ内の発光源の数である。
【０１１４】
画像期間Ｔ１の後、列２１Ａの発光源２２、２３、２４のセット全体は、当該発光源により表示されるべき画像データを表すディスプレイ電圧に応じて発光される。また、回路３は、段階８０の間、二度目にアドレス指定される。この段階８０は、段階８２乃至８９を有する。
【０１１５】
段階８２、８４、８６、８７、８８及び８９は、それぞれ段階６２、６４、６６、６８及び６９と同一なので、再び説明されない。回路３のこの第２のアドレス指定では、これらの段階が適応され、モジュール５０は、
−データベース５２から、前の画像フレームの間に発光源２２に事前にアドレス指定されたディスプレイ電圧Ｖｄａｔａ  ２２の値Ｖａを受信し、並びに発光源２２にアドレス指定されるべきディスプレイ電圧Ｖ’ｄａｔａ  ２２の新たな値Ｖ’ａを、古い値Ｖａの代わりに、システム７から受信し及びデータベース５２に記録する。
−古い値Ｖａを以下に示す和から差し引き、そして新たな値Ｖ’ａを加える。
【０１１６】
【数７】
2008508547.tif 000009
次に、モジュール５０は、生成器３９を制御する。従って生成器３９は、次に示す和の計算された新たな値に等しいディスプレイ電圧を供給する。
【０１１７】
【数８】
2008508547.tif 000010
回路４の第２のアドレス指定は、同様の方法で実行される。画像期間Ｔ２の後、列２１Ａの発光源２２、２３、２４のセット全体は、当該発光源により表示されるべき新たな画像データを表すディスプレイ電圧に応じて発光される。
【０１１８】
他の画像フレームは、次に、前の画像フレームに続く。例えば画像フレームＴ２が画像フレームＴ１の後に続く。
【０１１９】
本発明の例である実施例では、図６に示されるように、Ｖｒｅｆ  ａに等しい基準電圧Ｖｒｅｆ  ２２の値は、増幅器３５の反転入力−に印加され、及びＶａに等しいディスプレイ電圧Ｖｄａｔａ  ２２の値は、画像期間Ｔ１の間、発光源２２にアドレス指定されている。電圧Ｖａのこの値は、新たな画像期間Ｔ２の間、アドレス指定され続ける。
【０１２０】
従って、第２の画像期間Ｔ２の間、以下の和は変更されない。
【０１２１】
【数９】
2008508547.tif 000011
また前の画像期間Ｔ１の間に回路３のキャパシター２９により格納された電荷は、変更されない。
【０１２２】
同様に、第２の発光源２３の点灯段階（図３に示されない）の間、発光源２３にアドレス指定されたディスプレイ電圧の値は、第１の及び前の画像期間Ｔ３の間、Ｖｂに等しく（図６）、次の画像期間Ｔ４の間、ゼロである。
【０１２３】
従って、以下の和は、単に値Ｖｄａｔａだけ減少する。
【０１２４】
【数１０】
2008508547.tif 000012
従って、回路４のキャパシター２９に蓄積された全電荷は、除去される。また従って、値Ｖｄａｔａは、点灯していないダイオードの特性である、ゼロ電位を示す。
【０１２５】
有利なことに、ディスプレイのこの装置及びこの方法は、アドレス指定回路３、４、５を設定する前に、初期化段階を回避可能にすることが分かる。
【０１２６】
有利なことに、増幅器３５の入力の１つに印加される基準電圧及び発光源の各列に固有の基準電圧、又は列のグループ、ここでは異なる色のグループに印加される基準電圧は、有利なことに、ディスプレイ装置の電力消費を低減することが可能である。特に、基準電圧値が、種々の列の発光源の電気及び／又は発光特性の変動を補償するような方法だけでなく、各列の基準電圧の最も低い可能な平均値を得るような方法で選択される場合、ディスプレイ信号の値Ｖｄａｔａは、相応してシフトされ及び減少される。これにより、電力生成器３９により生成されるべき電力が低減される。
【０１２７】
図２の従来の構造を有するＯＬＥＤディスプレイ装置の場合、発光源２２、２３のアノードが、アクティブマトリックス１（「従来の」構造を有するダイオード）のためのインターフェースを形成する。変調装置２６のドレイン（ｎ型の場合）又はソース（ｐ型の場合）は、従って、駆動電極１８と接続される。また、発光源２２、２３のカソードは、電極３４と接続される。駆動電極１８は、従って、節点４２と接続される。節点４２では、電力供給手段３６の出力の１つ及び増幅器３５の非反転入力＋が一緒になる。
【０１２８】
しかしながら、図１１に示されるように、本発明はまた、発光源のカソードがアクティブマトリックスのためのインターフェースを形成する所謂、逆構造を有するディスプレイ装置にも適用される。変調装置２６のドレイン（ｐ型の場合）又はソース（ｎ型の場合）は、従って、駆動電極１８と接続される。また、発光源２２、２３のアノードは、電極３４と接続される。駆動電極１８は、節点４２と接続される。節点４２では、電力供給手段３６の出力の１つ及びこの場合は増幅器３５の反転入力−が一緒になる。この回路は、従来の構造を有するダイオードを参照して記述された回路より非常に安定である。有利なことに、如何なる抵抗４４又は平衡及び／又は補償キャパシター４６も、もはや必要ない。ディスプレイ信号は、従って、負の電圧に相当する。またダイオードの電流は、電力電極３４から「引き込まれる」。
【０１２９】
変形として、生成器３８は、基準電圧を発光源の経年劣化に応じて変更可能であり、又は低電力消費モードで基準電圧を低くすることが可能である。
【０１３０】
変形として、基準電圧は、発光源の各列に関連付けられる。この場合、格納手段４８は、発光源の各列に印加されるべき基準電圧値を格納可能なデータベースを有する。駆動部５０は、このデータベースを通じて増幅器３５の反転入力−に印加されるべき基準電圧値を当該発光源の列の識別子又は位置に従い検索するのに適する。
【０１３１】
本発明によると、出荷前に装置を設定する間、発光源の種々の列の電気及び／又は発光特性の差分を補償するような方法で、差分（Ｖｒｅｆ  ｘ−Ｖｒｅｆ  ｙ）が定められることが望ましい。
【０１３２】
第３の変形実施例によるディスプレイ装置の部分は、図１３に示される。
【０１３３】
このディスプレイ装置の電子構成要素は、図２に示されたディスプレイ装置の電子構成要素と同じであり、同一の参照符号を付され示される。
【０１３４】
このディスプレイ装置は、アドレス指定回路１０３を有する。アドレス指定回路１０３は、一方でアドレス指定駆動部２０Ａと列電極１６を介し、他方で選択回路８と行電極１４を介し接続される。
【０１３５】
回路１０３は、発光源２２をアドレス指定し、及び電力を供給するのに適する。発光源２２のカソードは、電源電極３４と接続される。
【０１３６】
この回路１０３は、電流変調装置２６、トランジスターから成るスイッチ２８、蓄積キャパシター２９及び接地電極１１０を有する。
【０１３７】
変調装置２６のドレインは、発光源２２のアノードと接続され、変調装置２６及び発光源２２が直列に接続される。変調装置２６のゲートは、一方でキャパシター２９の第１の端子と接続され、他方でスイッチ２８の電流伝達電極（ドレイン又はソース）と電線３３を介し接続される。スイッチ２８の他の電流伝達電極（ドレイン又はソース）は、列電極１６と接続される。スイッチ２８のゲートは、行電極１４と接続される。キャパシター２９の第２の端子は、接地電極１１０と接続される。変調装置２６のゲートは、一方でスイッチ１０８のドレインと接続され、他方でスイッチ１０６の電流伝達電極（ドレイン又はソース）と電線３３を介し接続される。スイッチ１０８のソースは、接地電極１１０と接続される。スイッチ１０８のゲートは、行電極１４と接続される。スイッチ１０６の他の電流伝達電極（ドレイン又はソース）は、列電極１８と接続される。スイッチ１０６のゲートは、行電極１４と接続される。
【０１３８】
駆動部２０Ａは、部分的に示される。駆動部２０Ａは、図２に示された駆動部と同一の要素を有し、同一の方法で動作する。
【０１３９】
駆動電極１８は、演算増幅器３５の反転入力及び抵抗４０と接続される。
【０１４０】
列電極１６のゲートは、演算増幅器３５の出力と接続される。
【０１４１】
駆動部２０Ａは、不連続な電力を回路１０３の発光源２２のそれぞれに連続して供給し、電流Ｉ２１を発光源２２−変調装置２６の直列の端子の１つに供給することにより、列２１Ａをアドレス指定するのに適する。
【０１４２】
演算増幅器３５の非反転入力は、列２１Ａの発光源２２のための基準電圧を受信するのに適する。基準電圧の値は、当該列の発光源２２と関連付けられたサブピクセルの色に依存する。
【０１４３】
発光源２２にアドレス指定されるべきディスプレイ電圧Ｖｄａｔａは、抵抗４０に印加される。この電圧は、スイッチ
１０６の電流伝達電極に印加される駆動電流を生成する。
【０１４４】
アドレス指定回路１０３のリフレッシュ期間の間、行電極１４は、論理状態０であり、従ってスイッチ２８及び１０６は閉であり、及びスイッチ１０８は開である。
【０１４５】
増幅器３５の帰還ループは、駆動電極１８、スイッチ１０６、変調装置２６及びスイッチ２８により形成される。この帰還ループは、電流Ｉ２１Ａを駆動電極１８を通過し安定させる。従って当該電流は、次式を満たす。
Ｉ２１Ａ＝（Ｖ２１Ａ−Ｖｒｅｆ）／Ｒ
変調装置２６のゲートのトリップスレッショルド電圧は、帰還モードで動作する増幅器３５により、変調装置２６の特性と独立に補償される。
【０１４６】
変調装置２６のゲートの電圧は、次にキャパシター２９に蓄積される。
【０１４７】
電流Ｉ２１Ａの蓄積期間の間、行電極１４は、論理状態１に切り替わり、従ってスイッチ２８及び１０６は開であり、及びスイッチ１０８は閉である。
【０１４８】
有利なことに、変調装置２６のドレイン、ソース及びデート電極の電圧は、リフレッシュ期間から蓄積期間への遷移の間に変化しない。従って同一の電流が、リフレッシュ期間から蓄積期間への遷移の間に発光源２２を通じて流れる。
【０１４９】
有利なことに、本発明の第３の実施例によるこの装置は、発光源２２を通じて流れる電流を最終的に制御可能にする。発光源２２を通じて流れる電流により、高解像度画面でも、詳細なグリッドスケール、均一な光度、及び低ノイズを作り出す。
【０１５０】
有利なことに、当該ディスプレイ装置を設定するために必要な時間は、帰還のないディスプレイ装置と比較して短い。
【０１５１】
有利なことに、当該ディスプレイ装置は、特性及び特に変調装置２６のスレッショルド電圧の大きな分散を許容する。
【図面の簡単な説明】
【０１５２】
【図１】本発明によるディスプレイ装置の概略図である。
【図２】図１に示されたディスプレイ装置の部分の概略図である。
【図３】本発明による制御方法の段階を示すチャート図である。
【図４】本発明によるディスプレイ装置の第１のアドレス指定回路の選択電極に印加された選択電圧の時間特性を表すグラフである。
【図５】本発明によるディスプレイ装置の第２のアドレス指定回路の選択電極に印加された選択電圧の時間特性を表すグラフである。
【図６】本発明によるディスプレイ装置の１つの同一の列の連続する種々のアドレス指定回路で、特に第１及び第２の回路で、アドレス指定のため駆動信号生成器により生成されたディスプレイ電圧の時間特性を表すグラフである。
【図７】第１のアドレス指定回路の変調装置を通じて流れるドレイン電流の時間特性を表すグラフである。
【図８】本発明によるディスプレイ装置の第２のアドレス指定回路の変調装置を通じて流れるドレイン電流の時間特性を表すグラフである。
【図９】本発明によるディスプレイ装置の駆動部により生成された駆動電流の時間特性を表すグラフである。
【図１０】図２に示されたディスプレイ装置の部分の第１の変形実施例の概略図である。
【図１１】図２に示されたディスプレイ装置の部分の第２の変形実施例の概略図である。
【図１２】本発明によるディスプレイ装置の種々の発光源を通過する電流を、当該発光源の端子に印加された電圧の関数として表す曲線を有するグラフである。
【図１３】図２に示されたディスプレイ装置の部分の第３の変形実施例の概略図である。
【図１】
2008508547.tif 000014
【図２】
2008508547.tif 000015
【図３】
2008508547.tif 000016
【図４】
2008508547.tif 000017
【図５】
2008508547.tif 000018
【図６】
2008508547.tif 000019
【図７】
2008508547.tif 000020
【図８】
2008508547.tif 000021
【図９】
2008508547.tif 000022
【図１０】
2008508547.tif 000023
【図１１】
2008508547.tif 000024
【図１２】
2008508547.tif 000025
【図１３】
2008508547.tif 000026
【国際調査報告】
2008508547.tif 000027
2008508547.tif 000028
2008508547.tif 000029
2008508547.tif 000030